(57)【要約】【課題】照明装置のシェードとして、光源にディスプレイを用いることを可能にすることである。【解決手段】照明装置用折り畳み式シェード１０は、展開時には複数の山形折り曲げ形状を組み合わせた半円筒状となり、折り畳むと平面形状がコの字状の折り畳み体となるシェード部材２０と、シェード部材２０の折り畳んだ状態におけるコの字状と同じコの字状形状を有する２つの平板フレーム５２，５４を備え、２つの平板フレーム５２，５４はそれぞれシェード部材２０が展開されるときにシェード部材２０が折り畳み状態に戻ろうとする復元力に抗して半円筒状形状を維持できる質量を有し、シェード部材２０が展開して２つの平板フレーム５２，５４が同一平面上に配置されることで、２つの平板フレーム５２，５４はそれぞれのコの字状が向かい合って矩形形状の照明用光源配置空間を形成する。【選択図】図１
2015159071.tif 000002
【特許請求の範囲】
【請求項１】
折り畳み式シェードと
折り畳み式シェードが展開したときの内部空間に配置される照明光源としての平板状ディスプレイと、
を備え、
折り畳み式シェードは、
光を散乱させて通すシート状部材を山折りして展開時には複数の山形折り曲げ形状を組み合わせた半円筒状となり、折り畳むと平面形状がコの字状の折り畳み体となるシェード部材と、
シェード部材の折り畳んだ状態におけるコの字状と同じコの字状形状を有する２つの平板フレームであって、そのうちの一方がシェード部材の折り畳んだ状態における一方側のコの字状端面に取り付けられ、他方がシェード部材の折り畳んだ状態における一方側のコの字状端面に取り付けられる２つの平板フレームと、
を備え、
２つの平板フレームはそれぞれシェード部材が展開されるときにシェード部材が折り畳み状態に戻ろうとする復元力に抗して半円筒状形状を維持できる質量を有し、
シェード部材が展開して２つの平板フレームが同一平面上に配置されることで、２つの平板フレームはそれぞれのコの字状が向かい合って矩形形状のディスプレイ配置空間を形成することを特徴とするディスプレイを光源とする折り畳み式照明装置。
【請求項２】
請求項１に記載のディスプレイを光源とする折り畳み式照明装置において、
平板状ディスプレイは、
携帯型スマートフォンのディスプレイまたは携帯電話のディスプレイであることを特徴とするディスプレイを光源とする折り畳み式照明装置。
【請求項３】
光を散乱させて通すシート状部材を山折りして展開時には複数の山形折り曲げ形状を組み合わせた半円筒状となり、折り畳むと平面形状がコの字状の折り畳み体となるシェード部材と、
シェード部材の折り畳んだ状態におけるコの字状と同じコの字状形状を有する２つの平板フレームであって、そのうちの一方がシェード部材の折り畳んだ状態における一方側のコの字状端面に取り付けられ、他方がシェード部材の折り畳んだ状態における一方側のコの字状端面に取り付けられる２つの平板フレームと、
を備え、
２つの平板フレームはそれぞれシェード部材が展開されるときにシェード部材が折り畳み状態に戻ろうとする復元力に抗して半円筒状形状を維持できる質量を有し、
シェード部材が展開して２つの平板フレームが同一平面上に配置されることで、２つの平板フレームはそれぞれのコの字状が向かい合って矩形形状の照明用光源配置空間を形成することを特徴とする照明装置用折り畳み式シェード。
【請求項４】
請求項３に記載の照明装置用折り畳み式シェードにおいて、
２つの平板フレームは、
互いに開閉自在となるように、それぞれのコの字状形状の脚部が接続されていることを特徴とする照明装置用折り畳み式シェード。
【請求項５】
請求項３に記載の照明装置用折り畳み式シェードにおいて、
２つの平板フレームには、それぞれ、
シェード部材が取り付けられる側と反対側の表面に所定の厚さを有する台板が設けられることを特徴とする照明装置用折り畳み式シェード。
【請求項６】
請求項５に記載の照明装置用折り畳み式シェードにおいて、
台板は、所定の表示を示す文字板または模様板であることを特徴とする照明装置用折り畳み式シェード。
【請求項７】
請求項３に記載の照明装置用折り畳み式シェードにおいて、
２つの平板フレームのいずれか一方に、照明用光源の引出コードを収納するコード溝が設けられることを特徴とする照明装置用折り畳み式シェード。
【請求項８】
請求項３に記載の照明装置用折り畳み式シェードにおいて、
シェード部材は、和紙で構成されることを特徴とする照明装置用折り畳み式シェード。
【請求項９】
請求項３に記載の照明装置用折り畳み式シェードにおいて、
大きさと質量が手で持てる可搬型であることを特徴とする照明装置用折り畳み式シェード。
【発明の詳細な説明】
【技術分野】
【０００１】
本発明は、ディスプレイを光源とする折り畳み式照明装置及びこれに用いられる照明装置用折り畳み式シェードに関する。
【背景技術】
【０００２】
照明装置用の折り畳み式シェードとしては、例えば、特許文献１に和傘構造照明器具として、リング状の「ろくろ」から４０本の小骨を放射状に取り付け、円環状にシェード部材を張設するための４０本の親骨のそれぞれの全長の下から１／３の箇所に各小骨の先端部を回転可能に取り付ける構造が開示されている。この構造により、使用しないときは小骨をろくろの中心軸周りに細くすぼめることで、和傘のように、シェード部材付き親骨もすぼめられ、かさばることなく収納することができると述べられている。
【０００３】
また、照明装置用のシェードに和紙等を用いるものとして、特許文献２には、紙、樹脂シート等のシート部材について、縦方向へ互いに平行に延びる２本の第１山折り線と横方向へ互いに平行に延びる第２山折り線を組み合わせて折り曲げ、曲面を構成することができる伸縮構造体が開示されている。この伸縮構造体は、筒体の中央部分が膨らんで球形状に変形するので、その中心に電球を配置すれば、これまでにない美しいランプシェードを得ることができると述べている。
【先行技術文献】
【特許文献】
【０００４】
【特許文献１】特開２００８−０５３０３７号公報
【特許文献２】特開２００５−２５６１９１号公報
【発明の概要】
【発明が解決しようとする課題】
【０００５】
特許文献１，２等のように、従来技術の照明装置では、ランプまたはＬＥＤ（Ｌｉｇｈｔ  Ｅｍｉｓｓｉｏｎ  Ｄｅｖｉｃｅ）等を光源とするものが多い。近年、スマートフォン等の携帯電話やタブレット型情報機器等のように、自発光するディスプレイを有する機器が普及している。この自発光するディスプレイを光源とすれば、特別な光源を有せず、また、照明装置として使用しないときはディスプレイを本来のスマートフォン等として用いることができるので、便利である。
【０００６】
本発明の目的は、ディスプレイを光源とする折り畳み式照明装置及びこれに用いられるのに適した照明装置用折り畳み式シェードを提供することである。
【課題を解決するための手段】
【０００７】
本発明に係るディスプレイを光源とする折り畳み式照明装置は、折り畳み式シェードと折り畳み式シェードが展開したときの内部空間に配置される照明光源としての平板状ディスプレイと、を備え、折り畳み式シェードは、光を散乱させて通すシート状部材を山折りして展開時には複数の山形折り曲げ形状を組み合わせた半円筒状となり、折り畳むと平面形状がコの字状の折り畳み体となるシェード部材と、シェード部材の折り畳んだ状態におけるコの字状と同じコの字状形状を有する２つの平板フレームであって、そのうちの一方がシェード部材の折り畳んだ状態における一方側のコの字状端面に取り付けられ、他方がシェード部材の折り畳んだ状態における一方側のコの字状端面に取り付けられる２つの平板フレームと、を備え、２つの平板フレームはそれぞれシェード部材が展開されるときにシェード部材が折り畳み状態に戻ろうとする復元力に抗して半円筒状形状を維持できる質量を有し、シェード部材が展開して２つの平板フレームが同一平面上に配置されることで、２つの平板フレームはそれぞれのコの字状が向かい合って矩形形状のディスプレイ配置空間を形成することを特徴とする。
【０００８】
本発明に係るディスプレイを光源とする折り畳み式照明装置において、平板状ディスプレイは、携帯型スマートフォンのディスプレイまたは携帯電話のディスプレイであることが好ましい。
【０００９】
本発明に係る照明装置用折り畳み式シェードは、光を散乱させて通すシート状部材を山折りして展開時には複数の山形折り曲げ形状を組み合わせた半円筒状となり、折り畳むと平面形状がコの字状の折り畳み体となるシェード部材と、シェード部材の折り畳んだ状態におけるコの字状と同じコの字状形状を有する２つの平板フレームであって、そのうちの一方がシェード部材の折り畳んだ状態における一方側のコの字状端面に取り付けられ、他方がシェード部材の折り畳んだ状態における一方側のコの字状端面に取り付けられる２つの平板フレームと、を備え、２つの平板フレームはそれぞれシェード部材が展開されるときにシェード部材が折り畳み状態に戻ろうとする復元力に抗して半円筒状形状を維持できる質量を有し、シェード部材が展開して２つの平板フレームが同一平面上に配置されることで、２つの平板フレームはそれぞれのコの字状が向かい合って矩形形状の照明用光源配置空間を形成することを特徴とする。
【００１０】
また、本発明に係る照明装置用折り畳み式シェードにおいて、２つの平板フレームは、互いに開閉自在となるように、それぞれのコの字状形状の脚部が接続されていることが好ましい。
【００１１】
また、本発明に係る照明装置用折り畳み式シェードにおいて、２つの平板フレームには、それぞれ、シェード部材が取り付けられる側と反対側の表面に所定の厚さを有する台板が設けられることが好ましい。
【００１２】
また、本発明に係る照明装置用折り畳み式シェードにおいて、台板は、所定の表示を示す文字板または模様板であることが好ましい。
【００１３】
また、本発明に係る照明装置用折り畳み式シェードにおいて、２つの平板フレームのいずれか一方に、照明用光源の引出コードを収納するコード溝が設けられることが好ましい。
【００１４】
また、本発明に係る照明装置用折り畳み式シェードにおいて、シェード部材は、和紙で構成されることが好ましい。
【００１５】
また、本発明に係る照明装置用折り畳み式シェードにおいて、大きさと質量が手で持てる可搬型であることが好ましい。
【発明の効果】
【００１６】
上記構成の少なくとも１つによれば、展開時には複数の山形折り曲げ形状を組み合わせた半円筒状となり、折り畳むと平面形状がコの字状の折り畳み体となるシェード部材のコの字状端面にそれぞれ同じコの字状形状を有する２つの平板フレームが取り付けられる。そして、シェード部材が展開して２つの平板フレームが同一平面上に配置されると、２つの平板フレームはそれぞれのコの字状が向かい合って矩形形状の照明用光源配置空間を形成するので、この矩形形状の空間に光源としてのディスプレイを配置し、折り畳み式のシェード部材を展開すると、ディスプレイを内部に収容した照明装置とできる。
【００１７】
また、平板状ディスプレイは、携帯型スマートフォンのディスプレイまたは携帯電話のディスプレイであるので、特別な固定光源を要せず、照明に使用しないときは、携帯型スマートフォンまたは携帯電話として用いることができる。
【００１８】
また、折り畳み式シェードにおいて、２つの平板フレームは、それぞれのコの字状形状の脚部が接続されているので、閉じれば折り畳まれたシェードとなり、開けば、直ちに、複数の山形折り曲げ形状を組み合わせた半円筒状のシェードとなる。
【００１９】
また、折り畳み式シェードにおいて、２つの平板フレームには、それぞれ、シェード部材が取り付けられる側と反対側の表面に所定の厚さを有する台板が設けられる。例えば、折り畳み式シェードをサイドテーブル等に置くとき、サイドテーブルの上面と２つの平板フレームとの間に台板の厚さ分の隙間が生じる。この隙間に光源としてのディスプレイの引出コードを通すことができる。
【００２０】
また、折り畳み式シェードにおいて、台板は、所定の表示を示す文字板または模様板であるので、例えば、光源としてのディスプレイの引出コードを通すための機能を備えながら、意匠的にも優れたものとなる。
【００２１】
また、折り畳み式シェードにおいて、２つの平板フレームのいずれか一方に、照明用光源の引出コードを収納するコード溝が設けられるので、引出コードを気にせずに、ディスプレイを内部に収容した照明装置用折り畳み式シェードをサイドテーブル等にそのまま置くことができる。
【００２２】
また、折り畳み式シェードにおいて、シェード部材は、和紙で構成されるので、柔らかな光の間接照明として利用できる。
【００２３】
また、折り畳み式シェードは、折り畳み式であって専用の設置場所を要せず、大きさと質量が手で持てる可搬型であるので、置く場所を自由に変更できる。また、旅行等で携帯するにも便利である。
【図面の簡単な説明】
【００２４】
【図１】本発明に係る実施の形態の照明装置用折り畳み式シェードにおいて、折り畳まれた状態を示す斜視図である。
【図２】本発明に係る実施の形態の照明装置用折り畳み式シェードにおいて、展開された状態の斜視図である。
【図３】本発明に係る実施の形態の照明装置用折り畳み式シェードを構成するシェード部材において、折り畳まれた状態を示す図である。図２（ａ）は側面図、（ｂ）は底面図、（ｃ）は上面図である。
【図４】本発明に係る実施の形態の照明装置用折り畳み式シェードを構成するシェード部材において、展開された状態を示す図である。（ａ）は展開される前の側面図、（ｂ）は展開後の正面図、（ｃ）は展開後の上面図である。
【図５】本発明に係る実施の形態の照明装置用折り畳み式シェードにおいて、折り畳み式シェードを形成するシート状部材の折り曲げ前の状態を示す図である。
【図６】本発明に係る実施の形態の照明装置用折り畳み式シェードを構成する２つの平板フレームを示す図である。
【図７】本発明に係る実施の形態のディスプレイを光源とする折り畳み式照明装置を形成する手順として、適当な机等の上に置かれた折り畳み式シェードの照明用光源配置空間にスマートフォンを配置した状態を示す図である。
【図８】図７の次の手順として、一方側の平板フレームを他方側の平板フレームに対し開き始めた状態を示す図である。
【図９】図８の次に、一方側の平板フレームを他方側フレームに対し完全に開いて折り畳み式シェードを展開状態とし、内部に配置されたスマートフォンのディスプレイからの光を用いて照明装置とした図である。
【図１０】ロゴを示す台板を設けた例を示す図である。図１０（ａ）は底面図、（ｂ）は長手方向に沿った側面図、（ｃ）は短手方向に沿った側面図、（ｄ）はロゴの一例を示す図である。
【図１１】ディスプレイの引出コード用溝を設けた例を示す図である。図１１（ａ）は上面図、（ｂ）は長手方向に沿った側面図、（ｃ）は短手方向に沿った側面図である。
【図１２】平板フレームの他の例を示す図である。
【発明を実施するための形態】
【００２５】
以下に図面を用いて本発明に係る実施の形態を詳細に説明する。以下で述べる寸法、材質等は、説明のための例示であって、照明装置用折り畳み式シェードまたはディスプレイを光源とする折り畳み式照明装置の仕様に応じ、適宜変更が可能である。以下では、全ての図面において対応する要素には同一の符号を付し、重複する説明を省略する。
【００２６】
図１，２は、照明装置用折り畳み式シェード１０，１１を示す図である。以下では、照明装置用折り畳み式シェードを単にシェードと呼ぶ。また折り畳まれた状態と展開された状態を区別するため、前者をシェード１０、後者をシェード１１と呼ぶ。図１，２ではシェード１０，１１の構成要素ではないが、シェード１０，１１が置かれる平面の例として、机の上面８が示されている。机の上面８は例示であって、サイドテーブルの上面、棚の上面等であっても構わない。図１，２において、Ｘ方向、Ｙ方向、Ｚ軸方向を示した。ＸＹ平面は、机の上面８に平行な平面であり、Ｚ方向はＸＹ平面に垂直な方向で、机の上面８から上方に向かう方向が＋Ｚ方向である。
【００２７】
折り畳まれた状態のシェード１０は、コの字状の平面形状を有する。シェード１０は、折り畳まれた状態のシェード部材２０と、折り畳まれたシェード部材２０の両端面に取り付けられる平板フレームセット５０で構成される。平板フレームセット５０は、折り畳まれた状態におけるシェード部材２０の底面側の端面に取り付けられる平板フレーム５２と、上面側の端面に取り付けられる平板フレーム５４と、この２つの平板フレーム５２，５４を互いに開閉自在に接続する接続部材５６，５８を含んで構成される。
【００２８】
コの字で囲まれた空間１２は、光源を配置する光源配置空間１３の半分の部分である。光源としては、平面型の携帯機器の自発光型ディスプレイを想定している。シェード１０の大きさの一例を挙げると、例えば、携帯機器をスマートフォンとした場合、コの字型の各辺の長さが約１０〜１２ｃｍ程度、厚さが約５〜１５ｍｍ程度である。これは一例であって、光源として用いる平面型の携帯機器の大きさに応じて適宜変更が可能である。
【００２９】
展開された状態のシェード１１は、和紙を折り曲げた山形折り曲げ形状を有する半円筒状の覆いである。この覆いの内部にスマートフォン７０（図７から９参照）を配置し、スマートフォン７０のディスプレイ７２からの光を光源として、和紙を通ってくる柔らかな光を間接照明光として利用する照明装置を構成することができる。
【００３０】
図２に示すように、シェード１１は、折り畳まれた状態のシェード１０を展開したもので、２つの平板フレーム５２，５４のうち一方の平板フレーム５２を机の上面８に置いたまま、他方の平板フレーム５４を接続部材５６，５８の周りに開いて机の上面８に置くことで、折り畳まれた状態のシェード部材２０が展開された状態のシェード部材２１となる。展開された状態のシェード部材２１は、接続部材５６，５８を結ぶ線を展開中心線として、複数の山形折り曲げ形状を組み合わせた半円筒形を有する。展開された状態のシェード部材２１の半円筒形で囲まれた内部空間において、２つの平板フレーム５２，５４は、展開中心線を挟んでコの字状に囲まれた空間１２が向い合せになり、矩形形状の光源配置空間１３を形成する。この光源配置空間１３にスマートフォン７０が配置される。
【００３１】
図３，４，５は、シェード部材の詳細を示す図である。シェード部材としては、１枚のシート状部材を複数の折り曲げ部で折り曲げて折り畳んだものが用いられる。シェード部材について、折り畳まれた状態と展開された状態を区別するため、前者をシェード部材２０、後者をシェード部材２１と呼ぶ。図３はシェード部材２０を示し、図４はシェード部材２１を示し、図５は、素材のシート状部材である１枚の和紙１９について、折り曲げ部を形成するための折り曲げ線を示す図である。
【００３２】
図３は、折り畳まれた状態のシェード部材２０を示す図で、図３（ａ）は側面図、（ｂ）は底面図、（ｃ）は上面図である。シェード部材２０は、１枚の和紙１９に複数の折り曲げ部３８を形成しながら折り曲げて折り畳んだもので、机の上面８に置いた平面形状でコの字状形状を有する。和紙１９は、白色無地である。シート状部材としては、和紙１９以外に、光を散乱して、通ってきた光が柔らかい光となる媒体であればよく、例えば、洋紙、不織布、薄布、プラスチックシート等を用いることができる。シート状部材の色は、白色でなくても構わない。また、無地でなく、模様等が付されていてもよい。
【００３３】
折り畳まれた状態の底面側の端面２２は、平板フレーム５２に取り付けられる。同様に、折り畳まれた状態の上面側の端面２４は、平板フレーム５４に取り付けられる。取付は、適当な接着剤を用いて行うことができる。
【００３４】
折り畳まれた状態の底面側の端面２２は、天井部２６と２つの脚部２８，２９を有する。天井部２６と２つの脚部２８，２９によってコの字状に囲まれた空間１２は、図１の空間１２と同じである。同様に、折り畳まれた状態の上面側の端面２４は、天井部３２と２つの脚部３４，３５を有する。天井部３２と２つの脚部３４，３５によってコの字状に囲まれた空間１２は、図１の空間１２と同じである。
【００３５】
図４は、展開された状態のシェード部材２１を示し、図４（ａ）は展開される前の側面図、（ｂ）は展開後の正面図、（ｃ）は展開後の上面図である。（ａ）に示すように、展開前のシェード部材２０の底面側の端面２２を机の上面８に置き、上面側の端面２４を矢印の方向に開くと、展開された状態のシェード部材２１となる。展開された状態のシェード部材２１は、端面２２，２４が机の上面８に置かれてこれを底面として、円筒側面状の天井折り曲げ面４０、半円状の正面折り曲げ面４２、半円状の裏面折り曲げ面４４を有し、複数の折り曲げ部３８によって複数の山形折り曲げ形状を組み合わせた半円筒状形状を有する。図４の例では、天井折り曲げ面４０と正面折り曲げ面４２と裏面折り曲げ面４４のそれぞれに１０個の山形折り曲げ形状を有する。
【００３６】
図４は、シェード部材２０，２１を形成する前の１枚の和紙１９を示す図である。図４において実線と破線が折り曲げ線で、実線は折り曲げ部３８の山部を形成するための折り曲げ線、破線が折り曲げ部３８の谷部を形成するための折り曲げ線である。山部を形成するための折り曲げ線は、天井折り曲げ面４０と正面折り曲げ面４２の境界、天井折り曲げ面４０と裏面折り曲げ面４４の境界、１０個の山形折り曲げ形状のそれぞれの山部となるところに設けられる。谷部を形成するための折り曲げ線は、１０個の山形折り曲げ形状のそれぞれの谷部となるところに設けられる。さらに、図３で説明したように、天井部２６，３２とその両側の脚部２８，２９，３４，３５が互いに直交する形状となるようにする折り曲げ部３８において、それぞれ、山部を形成するための折り曲げ線と谷部を形成するための折り曲げ線が設けられる。このように、１枚の和紙１９を折り曲げ線に沿って折り曲げて複数の折り曲げ部３８を形成して、図３に示す折り畳んだシェード部材２０を得ることができる。
【００３７】
図６は、平板フレーム５２，５４の詳細を示す図である。図６では、図２の展開された状態における平板フレーム５２，５４が示されている。図６（ａ）は上面図、(ｂ)は側面図である。平板フレーム５２は、天井部６０と２つの脚部６２，６３を有する。天井部６０と２つの脚部６２，６３によってコの字状に囲まれた空間１２は、図１の空間１２と同じである。同様に、平板フレーム５４は、天井部６６と２つの脚部６８，６９を有する。天井部６６と２つの脚部６８，６９によってコの字状に囲まれた空間１２は、図１の空間１２と同じである。
【００３８】
図６の状態における平板フレーム５２の上面には、図３で説明したシェード部材２０の底面側の端面２２が接着剤を用いて取り付けられる。同様に、図６の状態おける平板フレーム５４の上面には、シェード部材２０の上面側の端面２４が接着剤を用いて取り付けられる。なお、図６の状態における平板フレーム５２の上面は図１における折り畳んだ状態の平板フレーム５４の上面に対応するが、平板フレーム５４の上面は、図１における折り畳んだ状態の平板フレーム５４の裏面に対応する。
【００３９】
平板フレーム５２の脚部６２の先端部と平板フレーム５４の脚部６８の先端部は、互いに開閉自在として、接続部材５６で接続される。同様に、平板フレーム５２の脚部６３の先端部と平板フレーム５４の脚部６９の先端部は、互いに開閉自在として、接続部材５８で接続される。接続部材５６，５８としては、適当な接着テープが用いられる。接着テープとしては、透明テープでもよく、アルミニウム箔テープのように金属色を有するテープでもよく、その他の着色が施されたテープ、あるいは模様付きのテープでもよい。接着テープ以外に、蝶番、ヒンジ機構等の開閉自在部材を用いてもよい。展開された状態において、２つの平板フレーム５２，５４は、接続部材５６，５８を結ぶ展開中心線を挟んでコの字状に囲まれた空間１２が向い合せになり、矩形形状の光源配置空間１３を形成する。
【００４０】
平板フレーム５２，５４としては、それぞれシェード部材２０が展開されたときに、展開されたシェード部材２１が折り畳まれた状態に戻ろうとする復元力に抗して半円筒状形状を維持できるのに十分な大きさの質量を有する。例えば、平板フレーム５２，５４は、約５０〜１５０ｇ程度の質量を有する。シェード１０，１１の質量の大部分は平板フレーム５２，５４の質量で占められる。このように、シェード１０，１１は、手で持てる大きさと質量を有し、持ち運びができる可搬型である。これは一例であって、シェード１０，１１の全体の大きさ等に応じて適宜変更される。
【００４１】
かかる平板フレーム５２，５４としては、適当な平坦性と厚さを有する金属平板を所定の形状に加工したものを用いることができる。金属平板の材質としては、黄銅、アルミニウム、銅、銀、金等を用いることができる。厚さの一例を挙げると、シェード１０におけるコの字型の各辺の長さを約１０〜１２ｃｍ程度とし、材質を黄銅として、約１〜２ｍｍ程度である。机の上面８に置かれる面、すなわち、折り畳まれた状態のシェード１０において目に触れる表面及び裏面となる面に、適当な表面処理を施してもよい。表面処理としては、鏡面加工、いぶし加工、適当な装飾性模様加工、メッキ処理等を行ってもよい。
【００４２】
上記構成のシェード１０，１１の作用効果について、特に、ディスプレイを光源とする折り畳み式照明装置を形成する手順について、図７から図９を用いて説明する。
【００４３】
図７は、机の上面８に置かれたシェード１０にスマートフォン７０を設置した状態を示す図である。シェード１０は折り畳まれた状態であるので、コの字状に囲まれた空間１２は一方側が開いた状態である。この開いている口を利用して、コの字状に囲まれた空間１２にスマートフォン７０を配置する。空間１２においてコの字状の両脚の間の間隔は、スマートフォン７０の幅寸法よりも長く設定され、コの字状の開口している口から天井部までの長さは、スマートフォン７０の長さ寸法の半分よりも長く設定される。例えば、スマートフォン７０の外形寸法が、幅で約６５ｍｍ、長さで約１３０ｍｍとすると、コの字状に囲まれた空間１２は、幅で約７０ｍｍ、長さで約８０ｍｍ程度に設定される。
【００４４】
図８は、図７の後で、シェード１１が展開されている途中の過程を示す図である。ここでは、平板フレーム５４について接続部材５６，５８が設けられる端部とは反対側の端部を持ち上げるようにすると、接続部材５６，５８を展開中心として、平板フレーム５２に対し平板フレーム５４が回転しながら開く。底面側の端面２２は平板フレーム５２に接着され、上面側の端面２４は平板フレーム５４に接着されているので、平板フレーム５２に対して平板フレーム５４を回転させながら開くと、これに追従してスマートフォン７０を覆うように展開される。
【００４５】
図９は、さらに平板フレーム５２に対して平板フレーム５４を回転させながら開き、平板フレーム５４を机の上面８に置くようにした状態を示す図である。このとき、平板フレーム５４のコの字状に囲まれた空間１２は、平板フレーム５２のコの字状に囲まれた空間１２と一体化して、スマートフォン７０が配置される光源配置空間１３となる。シェード部材２１は完全に展開された状態となり、スマートフォン７０の全体を覆う。シェード部材２１は、展開された状態から元の折り畳まれた状態に戻ろうとする復元力を平板フレーム５２，５４に与えるが、平板フレーム５２，５４は、この復元力に抗してシェード部材２１の半円筒形状を維持するのに十分な質量を有している。したがって、シェード１１は、展開された状態を安定して維持する。
【００４６】
ここで、この前後でスマートフォン７０の電源を入れると、スマートフォン７０のディスプレイ７２が表示のために自発光する。ディスプレイ７２から放射される光は、和紙１９によって散乱され、柔らかな間接照明光７６として、シェード部材２１から外部に放射される。このように、シェード１１とスマートフォン７０を組み合わせることで、スマートフォン７０のディスプレイ７２を光源とする折り畳み式照明装置７４が形成される。
【００４７】
折り畳み式照明装置７４は、スマートフォン７０を携帯情報端末としての機能の他に、自発光素子としての機能を利用したもので、特別な光源を要しない。また、照明装置として使用しないときは、本来の携帯情報端末としての機能を用いることができる。折り畳み式照明装置７４は、柔らかな間接照明光７６を放射するので、例えば、寝室等の灯りとして利用できる。
【００４８】
スマートフォン７０を十分に充電された状態で用いるときは、ディスプレイ７２を光源とする折り畳み式照明装置７４において、内部のスマートフォン７０に電力を供給する必要がなく、電力供給用の引出コードが不要である。折り畳み式照明装置７４の内部のスマートフォン７０に電力を供給しようとするときは、スマートフォン７０と外部の電源とを接続する電力供給用の引出コードが必要である。その場合には、シェード１１の平板フレーム５２，５４の底面と机の上面８との間に引出コードが通る隙間を設ける。
【００４９】
図１０は、２つの平板フレーム５２，５４のそれぞれについて、シェード部材２１が取り付けられる側と反対側の表面に所定の厚さを有する台板８０，８２を設け、机の上面８との間に引出コード用の隙間８３を形成する例を示す図である。ここでは、２種類の台板８０，８２を用いて机の上面８と平板フレーム５２，５４の底面との間に隙間８３を形成する。図１０（ａ）は、シェード１１の底面図、（ｂ）はシェード１１の長手方向であるＸ方向に沿った側面図、（ｃ）はシェード１１の短手方向であるＹ方向に沿った側面図、（ｄ）は台板８０の拡大図である。
【００５０】
台板８０は、シェード１０，１１の商品名や商標のロゴを表示したロゴ板である。台板８２は適当な厚さを有する隙間板である。台板８２を台板８０と同様にロゴ板としてもよい。ロゴ板とせずに、意匠的なデザインの模様板としてもよい。台板８０，８２は、適当な固定手段で平板フレーム５２，５４に取り付けられる。固定手段としては、適当な接着剤や、取付ネジとネジ穴、嵌合ピンと嵌合穴等を用いることができる。取付面は、図１における平板フレーム５２の底面、平板フレーム５４の上面である。
【００５１】
図１１は、２つの平板フレーム５２，５４のいずれかについて、シェード部材２１が取り付けられる側と反対側の面に所定の溝深さの溝部８４を設け、光源配置空間１３と外部とを連通させる例を示す図である。図１１（ａ）は、シェード１１の底面図、（ｂ）はシェード１１のＸ方向に沿った側面図、（ｃ）はシェード１１のＹ方向に沿った側面図で、図１０の（ａ）から（ｃ）にそれぞれ対応する。図１１の例では、溝部８４は平板フレーム５２の天井部に設けるものとしたが、脚部に設けてもよく、平板フレーム５４に設けてもよい。
【００５２】
上記では、２つの脚部と天井部の形状が矩形形状である平板フレーム５２，５４を説明したが、コの字状に囲まれた空間１２が平面型ディスプレイを配置できれば、それ以外の外形を有するものでもよい。図１２は、平板フレームの他の形状の例を示す図である。図１２（ａ）は、部分的に張出形状を有する平板フレーム９０の例を示す図である。（ｂ）は円弧状の外周部形状を有る平板フレーム９２の例を示す図である。
【００５３】
上記では、シェード部材２０，２１として、和紙１９を折り曲げたままの形態を説明したが、和紙以外のシート状部材を折り曲げたままの形態で用いても構わない。これ以外に折り目に扇骨部材等の部材を取り付けるものとしてもよい。
【符号の説明】
【００５４】
８  机の上面、１０，１１  （照明器具用折り畳み式）シェード、１２  空間、１３  光源配置空間、１９  和紙、２０，２１  シェード部材、２２，２４  端面、２６，３２，６０，６６  天井部、２８，２９，３４，３５，６２，６３，６８，６９  脚部、３８  折り曲げ部、４０  天井折り曲げ面、４２  正面折り曲げ面、４４  裏面折り曲げ面、５０  平板フレームセット、５２，５４，９０，９２  平板フレーム、５６，５８  接続部材、７０  スマートフォン、７２  ディスプレイ、７４  折り畳み式照明装置、７６  間接照明光、８０，８２  台板、８３  隙間、８４  溝部。
【図１】
2015159071.tif 000003
【図２】
2015159071.tif 000004
【図３】
2015159071.tif 000005
【図４】
2015159071.tif 000006
【図５】
2015159071.tif 000007
【図６】
2015159071.tif 000008
【図７】
2015159071.tif 000009
【図８】
2015159071.tif 000010
【図９】
2015159071.tif 000011
【図１０】
2015159071.tif 000012
【図１１】
2015159071.tif 000013
【図１２】
2015159071.tif 000014